(57)【要約】【課題】  ユーザが直感的に操作できる見開きページ非見開きページ指定方法を実現することの出来る画像形成装置を提供する。【解決手段】  読み込んだ原稿のプレビュー画像を表示することが可能な表示部と、前記表示部の上に配置され、ユーザの指示を入力することができる透明なタッチパネルを有し、前記表示部に表示された２ページの原稿のプレビュー画像を水平方向に繋ぐようにタッチパネル上をタッチすると該２ページを見開きページとして印刷し、前記表示部に表示された２ページの原稿のプレビュー画像の間を垂直方向に分離するようにタッチパネル上をタッチすると該２ページを一枚の用紙の表裏に配置して印刷することを特徴とする。【選択図】        図１
2006247873.tif 000002
【特許請求の範囲】
【請求項１】
複数ページのプレビュー画像を表示可能な表示部と表示部の上に配置された透明なタッチセンサー付パネルを持ち、前記タッチセンサー付パネルよりの入力により動作を制御される画像形成装置において、隣接する二つのページのプレビュー画像上を横に繋ぐように前記タッチセンサー付パネルより入力指示があった場合、該２ページが見開きページとなるよう印刷され、隣接する二つのプレビュー画像の間を縦に分離するように前記タッチセンサー付パネルより入力指示があった場合、該２ページが記録紙の表裏に印刷され見開きとならないように印刷されることを特徴とする画像形成装置。
【請求項２】
請求項１に記載の画像形成装置において、見開きページあるいは表裏ページに印刷するようページを配置するために、追加のページが必要な場合は、白紙ページを挿入することを特徴とする画像形成装置。
【請求項３】
請求項１に記載の画像形成装置において、見開きページあるいは表裏ページに印刷するようページを配置するために、追加のページが必要な場合は、あらかじめ保存してある画像ページを挿入することを特徴とする画像形成装置。
【請求項４】
請求項１に記載の画像形成装置において、見開きページあるいは表裏ページに印刷するようページを配置するために、追加のページが必要な場合は、あらかじめ保存してある複数の画像ページの中から使用者に選択させ、選択された画像ページを挿入することを特徴とする画像形成装置。
【発明の詳細な説明】
【技術分野】
【０００１】
本発明は、読み込んだ画像の印刷の仕上がりを操作部より指定する画像形成装置とその指定方法に関するもので、特に、原稿を読み取り印刷する画像形成装置に係る。
【背景技術】
【０００２】
従来、読み込んだページを見開きのページの左右どちらのページに割り付けて印刷するかを設定する手法としては、特許文献１に示されるように、ページ毎に右指定・左指定・指定無しを選択させる方法があった。
【特許文献１】特開２００３−２０９６８２号公報（図１２）
【発明の開示】
【発明が解決しようとする課題】
【０００３】
しかしながら、上記従来例では、ユーザ自身が見開きにしたいページのページ番号をあらかじめ知っておかねばならないという問題点がある。このため、ページ数が多い原稿であったり、見開きにしたいページが多数ある場合は、ページ番号をメモするなどの前準備が必要になり、ユーザの負担となっていた。
【０００４】
本発明は、上述の問題点に着目してなされたものであって、ユーザが直感的に操作できる見開きページ非見開きページ指定方法を実現することの出来る画像形成装置を提供することを目的とする。
【課題を解決するための手段】
【０００５】
本発明は、上述した課題を解決し、ユーザの利便性を向上するために考察されたものであり、読み込んだ原稿のプレビュー画像を表示することが可能な表示部と、前記表示部の上に配置され、ユーザの指示を入力することができる透明なタッチセンサー付パネル（以後タッチパネルと記す）を有し、前記表示部に表示された２ページの原稿のプレビュー画像を水平方向に繋ぐようにタッチパネル上をタッチすると該２ページを見開きページとして印刷し、前記表示部に表示された２ページの原稿のプレビュー画像の間を垂直方向に分離するようにタッチパネル上をタッチすると該２ページを一枚の用紙の表裏に配置して印刷することを特徴とする。
【０００６】
すなわち、本発明は、複数ページのプレビュー画像を表示可能な表示部と表示部の上に配置された透明なタッチセンサー付パネルを持ち、前記タッチセンサー付パネルよりの入力により動作を制御される画像形成装置において、隣接する二つのページのプレビュー画像上を横に繋ぐように前記タッチセンサー付パネルより入力指示があった場合、該２ページが見開きページとなるよう印刷され、隣接する二つのプレビュー画像の間を縦に分離するように前記タッチセンサー付パネルより入力指示があった場合、該２ページが記録紙の表裏に印刷され見開きとならないように印刷されることを特徴とする画像形成装置である。
【発明の効果】
【０００７】
本発明によって、ユーザは読み込まれた原稿のプレビュー画像を見ながら見開きページの指定を行うので、あらかじめページ番号をメモするなどの前準備が必要なくなり、利便性が向上する。また、指定の操作は、２ページの原稿を繋ぐ、分離する、という直感的な操作であるので容易に設定することが可能となる。
【発明を実施するための最良の形態】
【０００８】
本発明の実施例を以下に説明する。
【実施例】
【０００９】
図９は実施例に係る画像形成装置の外観図である。図において９０は原稿をスキャンするための原稿台、９１は表示部であり、液晶パネル等の表示部とその上に重ねられた透明のタッチパネルよりなり、タッチパネルをタッチすることにより画像形成装置を操作することができる。９２は給紙部、９３は排紙部であり、本発明はこのような画像形成装置においてページの割り付け方をユーザが設定する方法に関するものである。
【００１０】
まず、ユーザが原稿台９０に原稿を載せ複数の原稿画像を読み込ませる。図９においては簡略のため特に図示していないが、複数の原稿を順次読み込ませることができるオートシードフィーダを使用するのが一般的である。
【００１１】
原稿を読み込んだ後の表示部９１の表示例が図３である。図３においては読み込んだ原稿画像の縮小画像が４ページ分表示されている。１ページ目は“Ａ”という画像であり、２ページ目は“Ｂ”、３ページ目は“Ｃ”、４ページ目は“Ｄ”という画像である。４ページ目の画像の下部には、５ページ目以降を表示させるための矢印が表示されている。
【００１２】
この画面において、ユーザは見開きページと分離ページを設定する。
【００１３】
まず、見開きページを指定する方法を図１を用いて説明する。
【００１４】
ユーザは表示されている縮小画像を見て１ページ目“Ａ”と２ページ目“Ｂ”を見開きで印刷したいとする。この場合、図１に示すように、表示部に表示されている１ページ目“Ａ”と２ページ目“Ｂ”を繋ぐように水平方向に指でタッチしながら結ぶ。１ページ目“Ａ”と２ページ目“Ｂ”が水平方向に結ばれたことを認識した表示部は、１ページ目“Ａ”に対して見開き指示があったことを示す情報を付加する。
【００１５】
この付加された見開きページ情報を使って、印刷データの生成を行う処理の流れを図８を用いて説明する。ここでは簡単のため４ページで原稿が終了するものとして説明する。
【００１６】
Ｓ８００より印刷データの生成処理を開始する。Ｓ８０１にて原稿ページを１、印刷ページを１に設定する。この原稿ページは、読み込んだ原稿のページ数を示し、印刷ページは、印刷データ生成処理後に印刷される時のページ数を示す。つまり、印刷ページが奇数の場合は印刷用紙の表側、印刷ページが偶数の場合は印刷用紙の裏側に印刷されることになる。Ｓ８０２にて原稿ページで示される原稿についてページ指定情報が付加されているかがチェックされる。図１において原稿ページ１に見開きページ指定情報が付加されているのでＳ８０３に進む。Ｓ８０３にて、見開きページ指定であるのでＳ８０４に進む。Ｓ８０４にて現在の印刷ページが１で奇数であるのでＳ８０６に進み、Ｓ８０６にて現在の原稿ページの前に白紙ページが挿入される。同時に現在の原稿ページの印刷ページ数に１が加算される。したがって、原稿ページ１の“Ａ”の前に白紙ページが挿入され、原稿ページ１の“Ａ”の印刷ページは２になる。次にＳ８０７に進み、原稿ページに１が加算され、印刷ページにも１が加算される。つまり、原稿ページ２の“Ｂ”の印刷ページは３になる。その後、Ｓ８０８にて原稿ページが最後かどうかチェックされ、最後でなければＳ８０９にてさらに原稿ページと印刷ページともに１が加算され、Ｓ８０２へ戻る。現在原稿ページは３、印刷ページは４を示すことになる。原稿ページ３“Ｃ”には何も指定されていないのでＳ８０８に進む。原稿ページは最後ではないのでＳ８０９にて原稿ページと印刷ページともに１が加算され、Ｓ８０２へ戻る。現在原稿ページは４、印刷ページは５を示している。原稿ページ４も何も指定されていないのでＳ８０９に進み、原稿が最後であるのでＳ８１０にて印刷データ生成処理を終了する。
【００１７】
以上の処理によって生成された印刷データが図４である。印刷ページ１は挿入された白紙ページであり、印刷ページ２が原稿ページ１の“Ａ”となる。その後原稿ページ２、３、４と続いている。この生成された印刷データを印刷ページ１から印刷用紙の表、裏、表、裏と順次印刷することにより、図５に示すように原稿１“Ａ”と原稿２“Ｂ”が見開きページとなり、ユーザの指示どおりの見開きページが実現できる。
【００１８】
次に、分離ページを指定する方法を図２を用いて説明する。
【００１９】
ユーザは表示されている縮小画像を見て２ページ目“Ｂ”と３ページ目“Ｃ”を分離して見開きとならないように印刷したいとする。この場合、図２に示すように、表示部に表示されている２ページ目“Ｂ”と３ページ目“Ｃ”を分離するように２ページ目“Ｂ”と３ページ目“Ｃ”の間を垂直方向に指でタッチしながら線で区切る。２ページ目“Ｂ”と３ページ目“Ｃ”が垂直方向に分離されたことを認識した表示部は、２ページ目“Ｂ”に対して分離指示があったことを示す情報を付加する。
【００２０】
この付加された分離ページ情報を使って、印刷データの生成を行う処理の流れを図８を用いて説明する。ここでも簡単のため４ページで原稿が終了するものとして説明する。
【００２１】
Ｓ８００より印刷データの生成処理を開始する。Ｓ８０１にて原稿ページを１、印刷ページを１に設定する。この原稿ページは、読み込んだ原稿のページ数を示し、印刷ページは、ページ生成処理後に印刷される時のページ数を示す。つまり、印刷ページが奇数の場合は印刷用紙の表側、印刷ページが偶数の場合は印刷用紙の裏側に印刷されることになる。Ｓ８０２にて原稿ページで示される原稿についてページ指定情報が付加されているかがチェックされる。図２において原稿ページ１には何も設定されていないのでＳ８０８に進む。原稿ページ１は最後ではないのでＳ８０９にて原稿ページと印刷ページともに１が加算され、Ｓ８０２へ戻る。現在原稿ページは２、印刷ページは２を示している。原稿ページ２には分離ページ指定情報が付加されているのでＳ８０３に進む。Ｓ８０３にて、見開きページ指定ではなく分離ページ指定であるのでＳ８０５に進む。Ｓ８０５にて現在の印刷ページが２で奇数ではないのでＳ８０６に進み、Ｓ８０６にて現在の原稿ページの前に白紙ページが挿入される。同時に現在の原稿ページの印刷ページ数に１が加算される。したがって、原稿ページ２の“Ｂ”の前に白紙ページが挿入され、原稿ページ２の“Ｂ”の印刷ページは３になる。次にＳ８０７に進み、原稿ページに１が加算され、印刷ページにも１が加算される。つまり、原稿ページ３の“Ｃ”の印刷ページは４になる。その後、Ｓ８０８にて原稿ページが最後かどうかチェックされ、最後でなければＳ８０９にてさらに原稿ページと印刷ページともに１が加算され、Ｓ８０２へ戻る。現在原稿ページは４、印刷ページは５を示すことになる。原稿ページ４“Ｄ”には何も指定されていないのでＳ８０８に進む。原稿が最後であるのでＳ８１０にてページ生成処理を終了する。
【００２２】
以上の処理によって再生された画像データが図６である。印刷ページ１は原稿ページ１の“Ａ”であり、印刷ページ２は挿入された白紙ページである。その後原稿ページ２“Ｂ”、３“Ｃ”、４“Ｄ”と続いている。この生成された画像データを印刷ページ１から印刷用紙の表、裏、表、裏と順次印刷することにより、図７に示すように原稿２“Ｂ”と原稿３“Ｃ”が見開きページではなく表と裏に分離されたページとなり、ユーザの指示どおりの分離ページが実現できる。
【００２３】
以上は、ユーザの指定した見開きページあるいは分離ページを実現するために白紙を挿入することとして説明した。
【００２４】
ここでさらに、白紙ではなくあらかじめ登録してある罫線が引かれたメモフォーマット等の画像ページを挿入することでさらにユーザの利便性を向上することができる。
【００２５】
さらに上記メモフォーマットに加えて複数の登録画像ページの中からユーザに選択させ、そのページを挿入することで、より多様な文書を印刷することが可能である。
【図面の簡単な説明】
【００２６】
【図１】見開きページの指定の仕方を示す図である。
【図２】分離ページの指定の仕方を示す図である。
【図３】表示部の表示例を示す図である。
【図４】図１の指示に従い生成した画像データを示す図である。
【図５】図４の画像データを印刷した結果を示す図である。
【図６】図２の指示に従い生成した画像データを示す図である。
【図７】図６の画像データを印刷した結果を示す図である。
【図８】画像データ生成処理の流れを示す図である。
【図９】画像形成装置の概観を示す図である。
【符号の説明】
【００２７】
９０  原稿台
９１  表示部
９２  給紙部
９３  排紙部
【図１】
2006247873.tif 000003
【図２】
2006247873.tif 000004
【図３】
2006247873.tif 000005
【図４】
2006247873.tif 000006
【図５】
2006247873.tif 000007
【図６】
2006247873.tif 000008
【図７】
2006247873.tif 000009
【図８】
2006247873.tif 000010
【図９】
2006247873.tif 000011